(57)【要約】【課題】  ラジオ放送の聴取者が今聞いている番組の音楽等のコンテンツデータを、簡便な方法により受信装置にダウンロードすることが可能な方法を提供する。【解決手段】  配信局装置は番組１３に対応した本放送ＩＤ１４と当該本放送ＩＤ１４に対応したコンテンツＩＤ１６及びコンテンツデータ１７をデータ放送１３で配信する。受信装置２は聴取者が入力装置６を操作したときの番組１３の楽曲等を示す本放送ＩＤ１３を一時的に記憶し、当該本放送ＩＤ１３に対応したコンテンツＩＤ１３を受信したことを認識し、これに対応したコンテンツデータ１７を受信装置にダウンロードする。【選択図】  図１０
2006284711.tif 000002
【特許請求の範囲】
【請求項１】
コンテンツデータを配信する配信手段を有する配信局装置と、前記コンテンツデータを受信する受信手段と入力手段とコンテンツデータをダウンロードするダウンロード手段と本放送ＩＤを記憶する本放送ＩＤ記憶手段とコンテンツデータを記憶するコンテンツ記憶手段を有する受信装置からなるコンテンツデータ配信システムにおいて、
前記配信手段は本放送によって配信されているコンテンツに対応した前記本放送ＩＤを配信し、データ放送によって前記本放送ＩＤに対応したコンテンツＩＤを含んだコンテンツデータを配信し、
前記受信装置は入力手段から情報入力があったときの前記本放送ＩＤを前記本放送ＩＤ記憶手段に記憶し、当該本放送ＩＤに対応した前記コンテンツＩＤを有する前記コンテンツデータをコンテンツ記憶手段にダウンロードするデータダウンロード手段を有することを特徴とするコンテンツデータ配信システム。
【請求項２】
前記本放送ＩＤは前記データ放送により配信されることを特徴とする請求項１に記載のコンテンツデータ配信システム。
【請求項３】
前記本放送ＩＤは前記本放送がされているときの時刻情報を有することを特徴とする請求項１に記載のコンテンツデータ配信システム。
【請求項４】
前記本放送ＩＤは対応する前記コンテンツデータが配信されるチャネル情報を含み、
前記受信装置は入力手段より情報入力があったときに当該本放送ＩＤに含まれる前記チャネル情報に対応したチャネルから前記本放送ＩＤに対応した前記データ放送ＩＤを有するコンテンツデータをダウンロードすることを特徴とする請求項１に記載のコンテンツデータ配信システム。
【請求項５】
前記受信装置は過去に受信した前記本放送ＩＤを前記本放送記憶手段に複数記憶し、入力装置から選択された前記本放送ＩＤに対応した前記コンテンツＩＤを含む前記コンテンツデータを受信することを特徴とするコンテンツデータ配信システム。
【請求項６】
前記受信装置は鍵情報によりコンテンツデータの受信可否判断を行うことを特徴とする請求項１に記載のコンテンツデータ配信システム。
【請求項７】
コンテンツデータを配信する配信手段を有する配信局装置と、前記コンテンツデータを受信する受信手段と入力手段とコンテンツデータをダウンロードするダウンロード手段と本放送ＩＤを記憶する本放送ＩＤ記憶手段とコンテンツデータを記憶するコンテンツ記憶手段を有する受信装置からなるコンテンツデータ配信システムに使われる受信装置において、
前記受信装置は、本放送によって配信されているコンテンツに対応した前記本放送ＩＤと、データ放送によって前記本放送ＩＤに対応したコンテンツＩＤを含んだコンテンツデータを受信し、入力手段から情報入力があったときの前記本放送ＩＤを前記本放送ＩＤ記憶手段に記憶し、当該本放送ＩＤに対応した前記コンテンツＩＤを有する前記コンテンツデータをコンテンツ記憶手段にダウンロードするデータダウンロード手段を有することを特徴とする受信装置。
【請求項８】
前記受信装置はデータ放送により配信される本放送ＩＤを受信ことを特徴とする請求項７に記載の受信装置。
【請求項９】
前記受信装置は前記本放送がされているときの時刻情報を有する前記本放送ＩＤを受信することを特徴とする請求項７に記載の受信装置。
【請求項１０】
前記受信装置は入力手段より情報入力があったときに当該本放送ＩＤに含まれる前記チャネル情報に対応したチャネルから前記本放送ＩＤに対応した前記データ放送ＩＤを有するコンテンツデータをダウンロードすることを特徴とする請求項７に記載の受信装置。
【請求項１１】
前記受信装置は過去に受信した前記本放送ＩＤを前記本放送記憶手段に複数記憶し、入力装置から選択された前記本放送ＩＤに対応した前記コンテンツＩＤを含む前記コンテンツデータを受信することを特徴とする請求項７に記載の受信装置。
【請求項１２】
前記受信装置は鍵情報によりコンテンツデータの受信可否判断を行うことを特徴とする請求項７に記載の受信装置。
【請求項１３】
コンテンツデータを配信する配信手段を有する配信局装置と、前記コンテンツデータを受信する受信手段と入力手段とコンテンツデータをダウンロードするダウンロード手段と本放送ＩＤを記憶する本放送ＩＤ記憶手段とコンテンツデータを記憶するコンテンツ記憶手段を有する受信装置からなるコンテンツデータ配信システムに用いられる配信装置において、
前記配信手段は本放送によって配信されているコンテンツに対応した前記本放送ＩＤを配信し、データ放送によって前記本放送ＩＤに対応したコンテンツＩＤを含んだコンテンツデータを配信することを特徴とする配信装置。
【請求項１４】
前記本放送ＩＤは前記データ放送により配信されることを特徴とする請求項１３に記載の配信装置。
【請求項１５】
前記本放送ＩＤは前記本放送がされているときの時刻情報を有することを特徴とする請求項１３に記載の配信装置。
【請求項１６】
前記本放送ＩＤは対応するコンテンツデータが配信されるチャネル情報を含むことを特徴とする請求項１３に記載の配信装置。
【請求項１７】
本放送に放送されているコンテンツをデータ放送によりダウンロードするコンテンツ取得方法において、
本放送に含まれる本放送ＩＤを取得する本放送ＩＤ取得ステップと、
受信装置の入力手段から入力があった時の前記本放送ＩＤに対応する前記コンテンツＩＤを含む前記コンテンツデータをダウンロードするコンテンツデータ取得ステップとを有することを特徴とするコンテンツデータ取得方法。
【請求項１８】
前記前記本放送ＩＤ配信ステップは前記本放送ＩＤを前記データ放送により配信することを特徴とする請求項１７に記載のコンテンツデータ取得方法。
【請求項１９】
前記前記本放送ＩＤ配信ステップは前記本放送がされているときの時刻情報が含まれた前記本放送ＩＤを配信することを特徴とする請求項１７に記載のコンテンツデータ取得方法。
【請求項２０】
前記本放送ＩＤは対応する前記コンテンツデータが配信されるチャネル情報を含み、
前記コンテンツデータ取得ステップは入力手段より情報入力があったときに当該本放送ＩＤに含まれる前記チャネル情報に対応したチャネルから前記本放送ＩＤに対応した前記データ放送ＩＤを有するコンテンツデータをダウンロードすることを特徴とする請求項１７に記載のコンテンツデータ取得方法。
【請求項２１】
前記本放送ＩＤ取得ステップは、過去に受信した前記本放送ＩＤを前記本放送記憶手段に複数記憶し、
前記コンテンツデータ取得ステップは、入力装置から選択された前記本放送ＩＤに対応した前記コンテンツＩＤを含む前記コンテンツデータをダウンロードすることを特徴とする請求項１７に記載のコンテンツデータ取得方法。
【請求項２２】
前記コンテンツデータ取得ステップは、鍵情報によりコンテンツデータの受信可否判断を行うことを特徴とする請求項１７に記載のコンテンツデータ取得方法。
【発明の詳細な説明】
【技術分野】
【０００１】
本発明はブロードキャスト放送にかかるコンテンツデータ配信システム、配信装置、受信装置、コンテンツデータ取得方法に関する。特に音声とコンテンツデータとをデジタル放送で配信するコンテンツデータ配信システム、配信装置、受信装置、コンテンツデータ取得方法に関する。
【背景技術】
【０００２】
近年デジタルデータで放送されるラジオ放送が可能となってきて、音声放送とデータ放送を同時に放送することが可能となってきた。このラジオ放送は音声とデータを重複して送信するチャネルとデータのみを送信するチャネルを有する。
【０００３】
このラジオ放送において、ラジオ番組を聞いている聴取者が、今流れている楽曲のデータを入手し、後で自分のデータとして自由に再生して聞き返したいと思う場合がある。聴取者が好きな楽曲データを入手するには、ラジオ放送にコンテンツデータの配信チャネル情報や配信開始タイミングに関する情報を含ませて放送し、受信機にてそのタイミング情報を検出してコンテンツデータをダウンロードする方法が提案されている（例えば特許文献１）。
【特許文献１】特開２００２−３０００６３公報
【発明の開示】
【発明が解決しようとする課題】
【０００４】
特許文献１のシステムにおいては、ラジオ放送に含まれるコンテンツデータをダウンロードするためのきっかけとなる情報はコンテンツデータの配信時間のスタート信号であり、ダウンロードされるコンテンツ内容に関わらずそのコンテンツがダウンロードされてしまうため、受信装置の時計が狂っていると正しい受信が行われない。また、音楽が短い場合や、曲の終わりに欲しいと思った時に、次の曲が始まってしまうため、所望のコンテンツデータを入手できないという問題点がある。また、以前聞いた楽曲等も入手することは困難であるという課題を有する。
【課題を解決するための手段】
【０００５】
本発明は上記課題を解決するため、請求項１に記載の発明では、コンテンツデータを配信する配信手段を有する配信局装置と、前記コンテンツデータを受信する受信手段と入力手段とコンテンツデータをダウンロードするダウンロード手段と本放送ＩＤを記憶する本放送ＩＤ記憶手段とコンテンツデータを記憶するコンテンツ記憶手段を有する受信装置からなるコンテンツデータ配信システムにおいて、前記配信手段は本放送によって配信されているコンテンツに対応した前記本放送ＩＤを配信し、データ放送によって前記本放送ＩＤに対応したコンテンツＩＤを含んだコンテンツデータを配信し、前記受信装置は入力手段から情報入力があったときの前記本放送ＩＤを前記本放送ＩＤ記憶手段に記憶し、当該本放送ＩＤに対応した前記コンテンツＩＤを有する前記コンテンツデータをコンテンツ記憶手段にダウンロードするデータダウンロード手段を有することを特徴とするコンテンツデータ配信システムを提供する。
【０００６】
請求項２に記載の発明では、前記本放送ＩＤは前記データ放送により配信されることを特徴とする請求項１に記載のコンテンツデータ配信システムを提供する。
【０００７】
請求項３に記載の発明では、前記本放送ＩＤは前記本放送がされているときの時刻情報を有することを特徴とする請求項１に記載のコンテンツデータ配信システムを提供する。
【０００８】
請求項４に記載の発明では、前記本放送ＩＤは対応する前記コンテンツデータが配信されるチャネル情報を含み、前記受信装置は入力手段より情報入力があった時に当該本放送ＩＤに含まれる前記チャネル情報に対応したチャネルから前記本放送ＩＤに対応した前記データ放送ＩＤを有するコンテンツデータをダウンロードすることを特徴とする請求項１に記載のコンテンツデータ配信システムを提供する。
【０００９】
請求項５に記載の発明では、前記受信装置は過去に受信した前記本放送ＩＤを前記本放送記憶手段に複数記憶し、入力装置から選択された前記本放送ＩＤに対応した前記コンテンツＩＤを含む前記コンテンツデータを受信することを特徴とするコンテンツデータ配信システムを提供する。
【００１０】
請求項６に記載の発明では、前記受信装置は鍵情報によりコンテンツデータの受信可否判断を行うことを特徴とする請求項１に記載のコンテンツデータ配信システムを提供する。
【００１１】
請求項７に記載の発明では、コンテンツデータを配信する配信手段を有する配信局装置と、前記コンテンツデータを受信する受信手段と入力手段とコンテンツデータをダウンロードするダウンロード手段と本放送ＩＤを記憶する本放送ＩＤ記憶手段とコンテンツデータを記憶するコンテンツ記憶手段を有する受信装置からなるコンテンツデータ配信システムに使われる受信装置において、前記受信装置は、本放送によって配信されているコンテンツに対応した前記本放送ＩＤと、データ放送によって前記本放送ＩＤに対応したコンテンツＩＤを含んだコンテンツデータを受信し、入力手段から情報入力があったときの前記本放送ＩＤを前記本放送ＩＤ記憶手段に記憶し、当該本放送ＩＤに対応した前記コンテンツＩＤを有する前記コンテンツデータをコンテンツ記憶手段にダウンロードするデータダウンロード手段を有することを特徴とする受信装置を提供する。
【００１２】
請求項８に記載の発明では、前記受信装置はデータ放送により配信される本放送ＩＤを受信ことを特徴とする請求項７に記載の受信装置を提供する。
【００１３】
請求項９に記載の発明では、前記受信装置は前記本放送がされているときの時刻情報を有する前記本放送ＩＤを受信することを特徴とする請求項７に記載の受信装置を提供する。
【００１４】
請求項１０に記載の発明では、前記受信装置は入力手段より情報入力があった時に当該本放送ＩＤに含まれる前記チャネル情報に対応したチャネルから前記本放送ＩＤに対応した前記データ放送ＩＤを有するコンテンツデータをダウンロードすることを特徴とする請求項７に記載の受信装置を提供する。
【００１５】
請求項１１に記載の発明では、前記受信装置は過去に受信した前記本放送ＩＤを前記本放送記憶手段に複数記憶し、入力装置から選択された前記本放送ＩＤに対応した前記コンテンツＩＤを含む前記コンテンツデータを受信することを特徴とする請求項７に記載の受信装置を提供する。
【００１６】
請求項１２に記載の発明では、前記受信装置は鍵情報によりコンテンツデータの受信可否判断を行うことを特徴とする請求項７に記載の受信装置を提供する。
【００１７】
請求項１３に記載の発明では、コンテンツデータを配信する配信手段を有する配信局装置と、前記コンテンツデータを受信する受信手段と入力手段とコンテンツデータをダウンロードするダウンロード手段と本放送ＩＤを記憶する本放送ＩＤ記憶手段とコンテンツデータを記憶するコンテンツ記憶手段を有する受信装置からなるコンテンツデータ配信システムに用いられる配信装置において、前記配信手段は本放送によって配信されているコンテンツに対応した前記本放送ＩＤを配信し、データ放送によって前記本放送ＩＤに対応したコンテンツＩＤを含んだコンテンツデータを配信することを特徴とする配信装置を提供する。
【００１８】
請求項１４に記載の発明では、前記本放送ＩＤは前記データ放送により配信されることを特徴とする請求項１３に記載の配信装置を提供する。
【００１９】
請求項１５に記載の発明では、前記本放送ＩＤは前記本放送がされているときの時刻情報を有することを特徴とする請求項１３に記載の配信装置を提供する。
【００２０】
請求項１６に記載の発明では、前記本放送ＩＤは対応するコンテンツデータが配信されるチャネル情報を含むことを特徴とする請求項１３に記載の配信装置を提供する。
【００２１】
請求項１７に記載の発明では、本放送に放送されているコンテンツをデータ放送によりダウンロードするコンテンツ取得方法において、本放送に含まれる本放送ＩＤを取得する本放送ＩＤ取得ステップと、受信装置の入力手段から入力があった時の前記本放送ＩＤに対応する前記コンテンツＩＤを含む前記コンテンツデータをダウンロードするコンテンツデータ取得ステップとを有することを特徴とするコンテンツデータ取得方法を提供する。
【００２２】
請求項１８に記載の発明では、前記前記本放送ＩＤ配信ステップは前記本放送ＩＤを前記データ放送により配信することを特徴とする請求項１７に記載のコンテンツデータ取得方法を提供する。
【００２３】
請求項１９に記載の発明では、前記前記本放送ＩＤ配信ステップは前記本放送がされているときの時刻情報が含まれた前記本放送ＩＤを配信することを特徴とする請求項１７に記載のコンテンツデータ取得方法を提供する。
【００２４】
請求項２０に記載の発明では、前記本放送ＩＤは対応する前記コンテンツデータが配信されるチャネル情報を含み、前記コンテンツデータ取得ステップは入力手段より情報入力があった時に当該本放送ＩＤに含まれる前記チャネル情報に対応したチャネルから前記本放送ＩＤに対応した前記データ放送ＩＤを有するコンテンツデータをダウンロードすることを特徴とする請求項１７に記載のコンテンツデータ取得方法を提供する。
【００２５】
請求項２１に記載の発明では、前記本放送ＩＤ取得ステップは、過去に受信した前記本放送ＩＤを前記本放送記憶手段に複数記憶し、前記コンテンツデータ取得ステップは、入力装置から選択された前記本放送ＩＤに対応した前記コンテンツＩＤを含む前記コンテンツデータをダウンロードすることを特徴とする請求項１７に記載のコンテンツデータ取得方法を提供する。
【００２６】
請求項２２に記載の発明では、前記コンテンツデータ取得ステップは、鍵情報によりコンテンツデータの受信可否判断を行うことを特徴とする請求項１７に記載のコンテンツデータ取得方法を提供する。
【発明の効果】
【００２７】
本発明によれば、コンテンツデータは本放送ＩＤと対応したコンテンツＩＤを含んでいるために、受信装置の時計の狂いなどに関わらず、聴取者は所望のコンテンツデータを入手することができる効果を有する。しかも、聴取者は今聴取しているコンテンツデータを１回のボタン操作という簡便な操作で入手することが出来る。
【００２８】
また、本放送が終了した後でも、本放送ＩＤと対応したコンテンツＩＤを含むコンテンツデータを受信し、ダウンロードすることができる。従って、過去の本放送ＩＤを受信器で保存しておいて、後に聴取者が選択することにより、過去に聞いた曲のコンテンツデータを受信することができる。以前聞いた曲についても簡単な操作で入手することが可能となる。
【発明を実施するための最良の形態】
【００２９】
【第１の実施形態】
【００３０】
本発明の第一の実施形態について、図１から図９を用いて説明する。
【００３１】
図１は本発明に係る放送システムの構成例を示す図である。１は配信局装置、２は受信装置、３はコンテンツプロバイダ、４は放送データ、５はコンテンツデータ、６は入力装置、７は表示装置、８は受信鍵である。
【００３２】
配信局装置１はコンテンツプロバイダ３から提供されたコンテンツデータ６を含むブロードキャスト放送として放送データ４を放送する配信局装置である。テレビ放送やラジオ放送局がこれに相当する。
【００３３】
コンテンツプロバイダ６は配信局装置１へコンテンツを提供する業者の装置であり、レコード会社、出版社、番組制作会社等がこれに相当する。配信局が独自にコンテンツを製作したコンテンツデータを配信する場合には、当該コンテンツプロバイダは必要ない。
【００３４】
受信装置２は配信局装置１から放送された放送データを受信する装置である。本放送を受信し音声を出力する機能と、データ放送で配信されるコンテンツデータをダウンロードする機能を有する。入力装置は聴取者が今聞いているコンテンツのデータを入手したいと欲したときにボタンを押す等によって、現在音声で流れているコンテンツデータのＩＤである本放送ＩＤを受信装置が認識するために用いるものである。表示装置６は現在流れているコンテンツの楽曲名を表示したり、以前聞いた楽曲をダウンロードしたいときの選択手段に用いるものである。受信鍵８は配信されるコンテンツデータに課金する場合に、暗号化された配信データの複合化やダウンロード料金を前払いした場合のダウンロードが可能であるかどうかの有効性を示すことなどに用いられるデータである。当該受信鍵はダウンロード可能な楽曲数や期間の情報をも有することができる。
【００３５】
図２は本発明に係るデータ送信方法で送信される放送データの構成例１である。一つのチャネル１１に本放送１２とデータ放送１３を有する。本放送１１は音声等に聞こえる通常のラジオ番組等を放送するチャネルである。データ放送は音声とは別にコンテンツデータを配信することが可能なチャネルである。両チャネルとも料金の支払いを行った特定の聴取者のみが受信可能なように暗号化したデータで放送することができる。またチャネル１１は必ずしも本放送１２とデータ放送１３との対でなくても、データ放送１３のみによっても構成される。
【００３６】
本放送ＩＤ１４は本放送１２の番組データ１５のデータ間に入れ込むことができる。本放送ＩＤ１４は本放送１２の番組データの間や放送コンテンツの始まり等、放送形式によって任意に入れ込むことが可能である。また、当該本放送ＩＤ１４は本放送の番組データ１５に透かしデータのように埋め込むことも可能である。
【００３７】
データ放送１３はコンテンツデータ１７とコンテンツＩＤ１６またはコンテンツＩＤ１６を含むコンテンツデータ１７からなる。コンテンツＩＤ１６はコンテンツデータ１７と対応付いた構成をとる。即ち、コンテンツＩＤ１６からダウンロードすべきコンテンツデータが対応付けられるのである。
【００３８】
コンテンツデータ１７とコンテンツＩＤ１６の放送は本放送の番組内容と同時間に放送されなくともよい。本放送の番組内容を後でダウンロード可能なために、本放送終了後当該本放送の番組内容のコンテンツデータ１７をデータ放送１３に配信することも可能である。またデータ放送１３は放送の空き領域によっては繰り返し、または以前の放送内容のコンテンツデータを送ることも可能である。
【００３９】
図３は配信局装置のブロック図である。１０１はコンテンツデータ記憶部であり、配信局装置１で配信するコンテンツデータ１７を記憶するものである。１０２は配信局装置１を操作し、情報を入力するための入力部である。１０３は各種情報を表示するための表示部である。１０４はコンテンツデータ１７を配信するコンテンツデータ配信部である。１０５は外部にある装置との情報の送受信を行うための送受信部である。１０６は配信局装置１を動作させるためのプログラムや設定情報等が記憶されたリード・オンリー・メモリ（以後、ＲＯＭとする）である。１０７は主に処理作業領域に用いられるランダム・アクセス・メモリ（以後、ＲＡＭとする）である。１０８は配信するコンテンツデータ１７を暗号化する際に用いる鍵情報を保管する鍵情報記憶部である。１０９はＲＯＭ１０６に記憶されている動作プログラムを実際に実行して配信局装置１の各構成要素を動作させる制御部である。
【００４０】
配信コンテンツ記憶部１０１に記憶されるコンテンツデータ１７は、コンテンツプロバイダ３から取得したものが主である。コンテンツデータ記憶部１０１には実際には、コンテンツデータ１７と、コンテンツデータを識別する識別情報であるコンテンツＩＤ１６が記憶されている。尚、コンテンツプロバイダ３からのコンテンツデータ１７の取得方法は、コンパクトディスク等によりオフラインで取得する方法や、送受信部１０５を介してオンラインで取得する方法等、どのような方法でもよい。
【００４１】
コンテンツ情報配信部１０４は、作成したコンテンツデータ１７を配信する。本実施形態において配信局はラジオ局である場合には、コンテンツデータ配信部１０４は所定の周波数帯の電波を用いて、放送用にデジタル変調したコンテンツ情報１７をブロードキャスト配信する。尚、配信局がデジタルテレビ局、インターネットを用いてコンテンツを配信するコンテンツ配信事業者の場合は、それぞれに対応する方法でコンテンツデータ１７を配信するものとする。配信したコンテンツデータ１７は、受信装置２の受信部２０１により受信される。
【００４２】
送受信部１０５は、外部にある装置とネットワーク接続をするための手段である。これにより配信局装置１は、例えばコンテンツプロバイダ６や図示しない決済センター等他の外部装置と通信を行うことができる。
【００４３】
鍵情報記憶部５０８には放送データを暗号化する鍵か記憶されている。ＲＯＭ５０６には、本発明のコンテンツ暗号化手段と、コンテンツ情報作成手段と、コンテンツ情報配信手段とを実際に実行するための動作プログラムが格納されている。
【００４４】
図４は本発明に係る受信装置２のブロック図である。１０１は配信局装置５が配信する、本放送１３及びデータ放送１４を受信する受信部である。１０２は聴取者からの入力操作を受け付ける入力部である。１０３は受信部の情報や入力操作を促す等の機能を有する表示部である。１０４は本放送１３の音声データ等を出力する音声出力部である。１０５は取得したコンテンツデータを記憶するコンテンツデータ記憶部である。１０６は受信装置２を動作させるためのプログラムや設定情報等が記憶されたＲＯＭである。１０７は主に処理作業領域に用いられるＲＡＭである。ＲＡＭには、本放送ＩＤを一時的に記憶しておく本放送一時記憶領域やダウンロードすべきコンテンツデータのコンテンツＩＤと比較する本放送ＩＤを記憶しておくダウンロードＩＤ記憶領域が含まれる。１０８は暗号化されて配信された放送の複合化やコンテンツデータのダウンロード可能かどうかの可否を判断する等の情報を有する鍵情報である。鍵情報は前記ＲＡＭ１０７に存在してもよい。１０９はＲＯＭ１０６に記憶されている動作プログラムを実際に実行して受信装置２の各構成要素を動作させる等の機能を有する制御部である。１０９は配信局装置１からの放送等を受信するアンテナである。
【００４５】
図５は受信部１０１のブロック図である。受信部は１つ以上のチューナー１０１２とデコーダ１０１３を備えている。各チューナー１０１２は無線部１０１１を介してアンテナ１１０に接続されている。デコーダ１０１３はデジタル変調された放送の受信波を復調する。またデコーダ１０１３は本放送の音声データとデータ放送のコンテンツデータを分離する機能も有する。一つのチューナー及びデコーダが本放送を受信し、音声出力しているときに、他のチューナー及びデコーダがデータ放送を受信することが可能である。データ放送を受信するために更にチューナー及びデコーダを備えた構成をとることもできる。
【００４６】
図６から図９を用いて本発明の動作を説明する。
【００４７】
図６は配信局装置１がコンテンツデータを放送する時のフローチャートである。配信局装置１はコンテンツプロバイダ６等からコンテンツデータを入手する（Ｓ１１）。当該コンテンツデータに対応づいたコンテンツＩＤを作成する（Ｓ１２）。さらにコンテンツデータに対応づいた本放送ＩＤを作成する（Ｓ１３）。コンテンツＩＤと本放送ＩＤを作成する順序はどちらが先でもかまわない。また本放送ＩＤとコンテンツＩＤは双方の対応付けができれば、どのようなアルゴリズムでもかまわず、また両ＩＤは同じ内容でもかまわない。
【００４８】
例えば、本放送ＩＤが本放送でコンテンツデータの音声データを配信している時刻データを示していて、コンテンツデータがその時刻データと対応付けられる内容になっていることも可能である。
【００４９】
図７は受信装置２が本放送及びコンテンツデータを受信するときのメインプロセスのフローチャートである。最初にメインプロセスは各メモリ等の初期化処理を行う（Ｓ２１）。このとき本放送ＩＤ一時記憶領域、ダウンロードＩＤ記憶領域等の内容を初期化する。その後本放送データを受信する（Ｓ２２）。その後本放送に含まれる本放送ＩＤを受信したら、本放送ＩＤを抽出する。デコーダから出力されるデータが本放送ＩＤであったときに本放送ＩＤを本放送ＩＤ一時記憶領域に記憶する（Ｓ２４）。当該メインプロセスは本放送ＩＤを受信する度に本放送ＩＤ一時記憶領域の本放送ＩＤを書き換える。
【００５０】
図８は本放送受信中の入力割り込み処理のフローチャートである。受信装置２の入力装置６を聴取者が操作すると受信装置の入力部１０２に信号が入り、割り込み処理が起動する。当該割り込み処理はその時本放送ＩＤ一時記憶領域に書き込まれている本放送ＩＤをダウンロードＩＤ記憶領域に書き込んで終了する（Ｓ３１）。本プロセスは受信のためのプロセスとは非同期で動作すればよく、必ずしも割り込み処理としなくとも構成可能である。
【００５１】
図９はデータ放送からコンテンツデータを受信する処理のフローチャートである。本処理は、メインプロセスとは非同期の別プロセスとして動作する。起動後、まずダウンロードＩＤ記憶領域に本放送ＩＤが記憶されているか確認する（Ｓ４１）。ダウンロードＩＤ記憶領域に本放送ＩＤがかかれていない場合には、再度ダウンロードＩＤ記憶領域を確認する。
【００５２】
ダウンロードＩＤ記憶領域に本放送ＩＤがかかれていることは、本放送を聞いている聴取者が入力ボタンを押したことを示す。従ってこの場合はデータ放送のコンテンツＩＤを受信する（Ｓ４２）。その後、コンテンツＩＤと本放送ＩＤを比較し、受信したコンテンツＩＤが当該本放送ＩＤと異なるようであれば再度コンテンツＩＤを受信する（Ｓ４３）。
【００５３】
コンテンツＩＤが本放送ＩＤと対応付いたＩＤである場合には、鍵情報が有効かどうか確認する。鍵情報はコンテンツデータに対して課金する場合などに用いられる。例えば、聴取者がコンテンツプロバイダ６等にダウンロード料金を支払った場合等に有効な鍵データが得られる。この鍵データは支払いの有無のみではなく、ダウンロードしたコンテンツ数、ダウンロード期間によってもダウンロードの可否を決定できるようにすることも可能である。課金そのものが不要であったり、ダウンロードした後に課金する場合においては当該ステップは不要である。
【００５４】
鍵データが有効か、鍵データの確認ステップそのものが不要である場合には、受信装置はコンテンツデータをダウンロードする（Ｓ４５）。コンテンツデータのダウンロードが完了した後は、ダウンロードＩＤ記憶領域をクリアし、再度ダウンロードＩＤ記憶領域に本放送ＩＤが含まれるか確認する（Ｓ４６）。ダウンロード不可の状態であるならば、ダウンロードせずに表示部に警告を表示して終了する（Ｓ４７）。
【第２の実施形態】
【００５５】
本発明の第二の実施形態について、図１０を用いて説明する。図１０は本発明に係るデータ送信方法で送信される放送データの構成例２である。実施例１では本放送ＩＤは本放送の番組データの空き領域または番組データに含まれて配信されていたが、第二の実施例では本放送ＩＤはデータ放送により配信される。
【００５６】
従って第一の実施例で本放送ＩＤを読み出すメインプロセスのステップ２２はデータ放送を受信し、本放送ＩＤを抽出することとなる。その他の処理は第一の実施例と同じである。
【第３の実施形態】
【００５７】
本発明の第三の実施形態について、図１１及び図１２を用いて説明する。図１１は本発明に係るデータ送信方法で送信される放送データの構成例３である。実施例１ではコンテンツデータは本放送お同じチャネルのデータ放送を利用して放送されているが、第三の実施例ではコンテンツデータは第二のチャネル１８のデータ放送１９を用いて配信される。本実施例では本放送ＩＤにはチャネル情報も含まれる。
【００５８】
図１２は第三の実施例における入力割り込み処理のフローチャートである。受信装置２の入力装置６を聴取者が操作すると受信装置の入力部１０２に信号が入り、割り込み処理が起動し、当該割り込み処理はその時本放送ＩＤ一時記憶領域に書き込まれている本放送ＩＤをダウンロードＩＤ記憶領域に書き込む（Ｓ５１）ところまでは第一の実施例と同じである。この本放送ＩＤはデータ放送が行われているチャネルを示すデータが含まれており、そのチャネルを解析する（Ｓ５２）。当該解析したチャネルのデータ放送を受信できるように設定し、当該割り込み処理は終了する（Ｓ５３）。その他の処理は第一の実施例と同じである。
【図面の簡単な説明】
【００５９】
【図１】本発明に係る放送システムの構成例を示す図である。
【図２】本発明に係るデータ送信方法で送信される放送データの構成例１である。
【図３】配信装置のブロック図及び受信装置との関係図である。
【図４】受信装置のブロック図である。
【図５】受信装置における受信部のブロック図である。
【図６】配信局装置がコンテンツデータを放送する時のフローチャートである。
【図７】受信装置２が本放送及びコンテンツデータを受信するときメインプロセスのフローチャートである。
【図８】本放送受信中の入力割り込み処理のフローチャートである。
【図９】データ放送からコンテンツデータを受信する処理のフローチャートである。
【図１０】本発明に係るデータ送信方法で送信される放送データの構成例２である。
【図１１】本発明に係るデータ送信方法で送信される放送データの構成例３である。
【図１２】第三の実施例における入力割り込み処理のフローチャートである。
【符号の説明】
【００６０】
１    配信局装置
２    受信装置
３    コンテンツプロバイダ
４    放送データ
５    コンテンツデータ
６    入力装置
７    表示装置
８    受信鍵
１１    放送チャネル
１２    本放送
１３    データ放送
１４    本放送ＩＤ
１５    番組
１６    コンテンツＩＤ
１７    コンテンツデータ
【図１】
2006284711.tif 000003
【図２】
2006284711.tif 000004
【図３】
2006284711.tif 000005
【図４】
2006284711.tif 000006
【図５】
2006284711.tif 000007
【図６】
2006284711.tif 000008
【図７】
2006284711.tif 000009
【図８】
2006284711.tif 000010
【図９】
2006284711.tif 000011
【図１０】
2006284711.tif 000012
【図１１】
2006284711.tif 000013
【図１２】
2006284711.tif 000014